Podtech/llm-jp-corpus-v4-ja_patent huggingface dataset:
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
モータの巻線に流れる駆動電流を検出する検出手段と、
前記モータの回転子の回転によって前記巻線に誘起される誘起電圧の大きさを、前記検出手段によって検出された駆動電流に基づいて決定する誘起電圧決定手段と、
前記誘起電圧決定手段によって決定された誘起電圧の大きさに基づいて、前記回転子の回転位相を決定する位相決定手段と、
前記回転子の目標位相を表す指令位相を生成する生成手段と、
前記生成手段によって生成された前記指令位相と前記位相決定手段によって決定された前記回転位相との偏差が小さくなるように、前記位相決定手段によって決定された回転位相に基づく回転座標系において表される電流成分であって前記回転子にトルクを発生させる電流成分であるトルク電流成分に基づいて、前記巻線に流れる駆動電流を制御する第１制御モードと、予め決められた大きさの電流に基づいて前記駆動電流を制御する第２制御モードと、を備える制御手段と、
を有し、
前記位相決定手段は、前記第２制御モードの実行中においても、前記回転位相を決定し、
前記生成手段は、前記駆動電流を制御する制御モードが前記第２制御モードから前記第１制御モードに切り替わった場合の前記第１制御モードにおける前記指令位相を、前記第２制御モードの実行中に前記位相決定手段によって決定された前記回転位相に基づいて生成することを特徴とするモータ制御装置。
【請求項２】
前記モータ制御装置は、パルス列を生成するパルス生成手段を有し、
前記生成手段は、パルス生成手段から出力される前記パルス列の各パルスが入力される毎に前記指令位相に前記所定の変化量を加算することによって前記指令位相を更新することを特徴とする請求項１に記載のモータ制御装置。
【請求項３】
前記駆動電流を制御する制御モードが前記第２制御モードから前記第１制御モードに切り替わった場合の前記第１制御モードにおける前記指令位相の初期位相は、前記第２制御モードの実行中に前記位相決定手段によって決定された前記回転位相に基づいて設定されることを特徴とする請求項２に記載のモータ制御装置。
【請求項４】
前記制御手段は、前記パルス生成手段から出力される前記パルス列の周波数に基づいて前記回転子の目標速度に対応する回転速度を決定する速度決定手段を有し、
前記制御手段は、前記速度決定手段によって決定される前記回転速度が所定値より大きい値になった場合に、前記駆動電流を制御する制御モードを前記第２制御モードから前記第１制御モードに切り替えることを特徴とする請求項２又は３に記載のモータ制御装置。
【請求項５】
前記速度決定手段は、前記パルス生成手段から前記パルス列の各パルスが入力される毎に前記目標速度に対応する回転速度を決定することを特徴とすることを特徴とする請求項４に記載のモータ制御装置。
【請求項６】
シートを搬送する搬送ローラと、
前記搬送ローラを駆動するモータと、
請求項１乃至５のいずれか一項に記載のモータ制御装置と、
を有し、
前記モータ制御装置は、前記搬送ローラを駆動するモータの駆動を制御することを特徴とするシート搬送装置。
【請求項７】
記録媒体に画像を形成する画像形成装置であって、
負荷を駆動するモータと、
請求項１乃至５のいずれか一項に記載のモータ制御装置と、
を有し、
前記モータ制御装置は、前記負荷を駆動するモータの駆動を制御することを特徴とする画像形成装置。
【手続補正２】
【補正対象書類名】明細書
【補正対象項目名】００１３
【補正方法】変更
【補正の内容】
【００１３】
上記課題に鑑み、本発明は、モータの巻線に流れる駆動電流を制御する制御モードが切り替わる際にモータの制御が不安定になることを抑制することを目的とする。
【手続補正３】
【補正対象書類名】明細書
【補正対象項目名】００１４
【補正方法】変更
【補正の内容】
【００１４】
上記課題を解決するために、本発明にかかるモータ制御装置は、
モータの巻線に流れる駆動電流を検出する検出手段と、
前記モータの回転子の回転によって前記巻線に誘起される誘起電圧の大きさを、前記検出手段によって検出された駆動電流に基づいて決定する誘起電圧決定手段と、
前記誘起電圧決定手段によって決定された誘起電圧の大きさに基づいて、前記回転子の回転位相を決定する位相決定手段と、
前記回転子の目標位相を表す指令位相を生成する生成手段と、
前記生成手段によって生成された前記指令位相と前記位相決定手段によって決定された前記回転位相との偏差が小さくなるように、前記位相決定手段によって決定された回転位相に基づく回転座標系において表される電流成分であって前記回転子にトルクを発生させる電流成分であるトルク電流成分に基づいて、前記巻線に流れる駆動電流を制御する第１制御モードと、予め決められた大きさの電流に基づいて前記駆動電流を制御する第２制御モードと、を備える制御手段と、
を有し、
前記位相決定手段は、前記第２制御モードの実行中においても、前記回転位相を決定し、
前記生成手段は、前記駆動電流を制御する制御モードが前記第２制御モードから前記第１制御モードに切り替わった場合の前記第１制御モードにおける前記指令位相を、前記第２制御モードの実行中に前記位相決定手段によって決定された前記回転位相に基づいて生成することを特徴とする。
【手続補正４】
【補正対象書類名】明細書
【補正対象項目名】００１５
【補正方法】変更
【補正の内容】
【００１５】
本発明によれば、モータの巻線に流れる駆動電流を制御する制御モードが切り替わる際にモータの制御が不安定になることを抑制することができる。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
振動板と、
前記振動板に積層され、圧電体と、前記圧電体の一方の面上に配置され駆動信号が入力
される第１電極と、を備える圧電素子と、
前記圧電素子に配置され、被駆動部材に当接する当接面を含む先端チップと、
を有し、
前記第１電極に直交し前記圧電体の縦運動の方向に平行な第１平面で前記当接面を切断
したときの第１断面形状が、曲率を有していることを特徴とする圧電アクチュエーター。
【請求項２】
前記第１平面に直交し前記第１電極に平行な第２平面で前記当接面を切断したときの第
２断面形状が、曲率を有している請求項１に記載の圧電アクチュエーター。
【請求項３】
前記第２断面形状が有する曲率半径は、前記第１断面形状が有する曲率半径より小さい
請求項２に記載の圧電アクチュエーター。
【請求項４】
前記振動板と前記圧電素子とを含む単位構造を複数有する請求項１ないし３のいずれか
１項に記載の圧電アクチュエーター。
【請求項５】
前記圧電体は、前記圧電体の他方の面上に配置され基準電位に接続される第２電極を備
え、
前記第１電極に前記駆動信号が入力され、前記第２電極が前記基準電位に接続されたと
き、
前記第１電極と前記第２電極とを結ぶ方向に振動するように構成されている請求項１な
いし４のいずれか１項に記載の圧電アクチュエーター。
【請求項６】
前記第１電極および前記第２電極は、形状が異なる請求項１ないし５のいずれか１項に
記載の圧電アクチュエーター。
【請求項７】
前記振動板として、前記圧電素子を介して反対側に配置されている第１振動板および第
２振動板を有し、
前記第１振動板および前記第２振動板は、厚さが異なる請求項１ないし６のいずれか１
項に記載の圧電アクチュエーター。
【請求項８】
請求項１ないし７のいずれか１項に記載の圧電アクチュエーターと、
前記圧電アクチュエーターにより駆動される被駆動部材と、を備えることを特徴とする
圧電駆動装置。
【請求項９】
請求項１ないし７のいずれか１項に記載の圧電アクチュエーターを備えることを特徴と
するロボット。
【請求項１０】
請求項１ないし７のいずれか１項に記載の圧電アクチュエーターを備えることを特徴と
する電子部品搬送装置。
【請求項１１】
請求項１ないし７のいずれか１項に記載の圧電アクチュエーターを備えることを特徴と
するプリンター。
【請求項１２】
請求項１ないし７のいずれか１項に記載の圧電アクチュエーターを備えることを特徴と
するプロジェクター。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
平板状の基板本体、及び該基板本体の前面に実装されている複数のＬＥＤ、を有している装飾基板と、
該装飾基板の前側に当接して設けられ前記ＬＥＤからの光を拡散可能な平板状の本体部、及び該本体部を貫通して前記ＬＥＤが挿入されている複数の貫通口、を有している中間部材と、
該中間部材の前側に設けられており複数の前記ＬＥＤからの光により発光装飾される透光性を有した略平板状の装飾部材と、を備え、
前記平板状の基板本体と前記中間部材と前記略平板状の装飾部材は互いに重ねて配置されており、
さらに前記装飾基板は、少なくとも前面は白色塗膜が略全面に形成されると共に、該白色塗膜の上に黄色で形成されて前記ＬＥＤを特定するための情報が表記された情報表記部を備えており、前記複数のＬＥＤを電気的に接続している銅箔は前記装飾基板の外周から所定距離内側に控えられている
ことを特徴とする遊技機。
【手続補正２】
【補正対象書類名】明細書
【補正対象項目名】０００３
【補正方法】変更
【補正の内容】
【０００３】
この種の遊技機として、前面に複数のＬＥＤが実装されている装飾基板と、装飾基板の前側に設けられＬＥＤからの光を拡散させるレンズ部材と、レンズ部材の前側に設けられ所定の装飾が施されている透光性を有した装飾部材と、を備えたものが提案されている（例えば、特許文献１）。この特許文献１の技術によれば、レンズ部材によりＬＥＤからの光を拡散させることで、一つのＬＥＤで装飾部材の広い範囲を発光させることが可能となり、装飾部材を発光装飾させるための構成を薄くすることができる。
【手続補正３】
【補正対象書類名】明細書
【補正対象項目名】０００４
【補正方法】変更
【補正の内容】
【０００４】
しかしながら、特許文献１の技術では、装飾基板、レンズ部材（中間部材）、及び装飾基板を、互いに接するようにしていることから、ＬＥＤからの熱を逃がすことができないため、ＬＥＤからの熱が蓄積され易く、蓄積された熱によりＬＥＤの発光が不安定になったり破損したりして、遊技者に対して発光演出を楽しませられなくなることで、遊技者の興趣を低下させてしまう問題があった。
【手続補正４】
【補正対象書類名】明細書
【補正対象項目名】０００５
【補正方法】変更
【補正の内容】
【０００５】
【特許文献１】特開２０１２−１７０５４２号公報
【手続補正５】
【補正対象書類名】明細書
【補正対象項目名】０００６
【補正方法】変更
【補正の内容】
【０００６】
そこで、本発明は、上記の実情に鑑み、熱による影響を低減させて良好な状態で装飾部材を発光装飾させることにより遊技者を楽しませて興趣の低下を抑制させることが可能な遊技機の提供を課題とするものである。
【手続補正６】
【補正対象書類名】明細書
【補正対象項目名】０００７
【補正方法】変更
【補正の内容】
【０００７】
手段：遊技機において、
「平板状の基板本体、及び該基板本体の前面に実装されている複数のＬＥＤ、を有している装飾基板と、
該装飾基板の前側に当接して設けられ前記ＬＥＤからの光を拡散可能な平板状の本体部、及び該本体部を貫通して前記ＬＥＤが挿入されている複数の貫通口、を有している中間部材と、
該中間部材の前側に設けられており複数の前記ＬＥＤからの光により発光装飾される透光性を有した略平板状の装飾部材と、を備え、
前記平板状の基板本体と前記中間部材と前記略平板状の装飾部材は互いに重ねて配置されており、
さらに前記装飾基板は、少なくとも前面は白色塗膜が略全面に形成されると共に、該白色塗膜の上に黄色で形成されて前記ＬＥＤを特定するための情報が表記された情報表記部を備えており、前記複数のＬＥＤを電気的に接続している銅箔は前記装飾基板の外周から所定距離内側に控えられている」ものであることを特徴とする。
また、本発明とは異なる別の発明として以下の発明を開示する。
手段１：遊技機において、
「前側に導電性を有する金属装飾部が設けられている透光性を有する装飾部材と、
該装飾部材の外周に対して所定より外周が小さく形成されている平板状の基板本体、及び該基板本体に実装されており前記装飾部材を発光装飾させるための複数のＬＥＤ、を有し、前記装飾部材の後側に設けられている装飾基板と
を具備している」ものであることを特徴とする。
【手続補正７】
【補正対象書類名】明細書
【補正対象項目名】００７６
【補正方法】変更
【補正の内容】
【００７６】
このように、本発明によれば、熱による影響を低減させて良好な状態で装飾部材を発光装飾させることにより遊技者を楽しませて興趣の低下を抑制させることが可能な遊技機を提供することができる。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記導出操作手段の操作態様を特定可能な特定情報を報知する報知手段と、
第１特典の付与を示唆する特定示唆を複数ゲームに亘って実行する特定示唆手段と、
前記特定示唆の実行中において第２特典の付与を示唆する特別示唆を複数ゲームに亘って実行する特別示唆手段とを備え、
前記報知手段は、前記特定示唆が行われていることを条件に前記特定情報を報知可能であり、
前記特定示唆手段は、
前記特別示唆の実行中に前記特定示唆を実行している場合において、
前記第２特典が付与されるときには前記特別示唆が終了した後に当該第２特典が付与された以降で前記特定示唆を終了し、
前記第２特典が付与されないときには前記特別示唆が終了した以降で前記特定示唆を終了する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記導出操作手段の操作態様を特定可能な特定情報を報知する報知手段と、
第１特典の付与を示唆する特定示唆を複数ゲームに亘って実行する特定示唆手段と、
前記特定示唆の実行中において第２特典の付与を示唆する特別示唆を複数ゲームに亘って実行する特別示唆手段とを備え、
前記報知手段は、前記特定示唆が行われていることを条件に前記特定情報を報知可能であり、
前記特定示唆手段は、
前記特別示唆の実行中に前記特定示唆を実行している場合において、
前記第２特典が付与されるときには前記特別示唆が終了した後に当該第２特典が付与された以降で前記特定示唆を終了し、
前記第２特典が付与されないときには前記特別示唆が終了した以降で前記特定示唆を終了する。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
第１特典の付与（たとえば、有利区間の制御）を示唆する特定示唆（たとえば、有利区間ランプ１９の点灯）を複数ゲームに亘って実行する特定示唆手段（たとえば、有利区間ランプ１９を点灯させる処理）と、
前記特定示唆の実行中において第２特典の付与（たとえば、ボーナスの制御）を示唆する特別示唆（たとえば、連続演出）を複数ゲームに亘って実行する特別示唆手段（たとえば、連続演出を実行する処理）とを備え、
前記特定示唆手段は、
前記特別示唆の実行中に前記特定示唆を実行している場合（たとえば、有利区間ランプ１９の点灯と連続演出の実行とが重複する場合）において、
前記第２特典が付与されるとき（たとえば、図２５（ａ）のｔ３で有利チェリー役当選でボーナス当選したとき）には前記特別示唆が終了した後（たとえば、ｔ４で連続演出が終了した後）に当該第２特典が付与された以降（たとえば、ｔ４移行でボーナスに制御された後）で前記特定示唆を終了し（たとえば、ｔ５で有利区間ランプ１９が消灯する、すなわち、連続演出が実行される内部中では有利区間ランプ１９が消灯しない）、
前記第２特典が付与されないとき（たとえば、図２５（ａ）のｔ１で有利チェリー役当選でボーナス当選しなかったとき）には前記特別示唆が終了した以降（たとえば、ｔ２で連続演出が終了した以降）で前記特定示唆を終了する（たとえば、ｔ５で有利区間ランプ１９が消灯する、すなわち、連続演出が実行される期間では有利区間ランプ１９が消灯しない）。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
遊技を行う遊技機において、
複数種類の有利区間終了条件のいずれかが成立したときに遊技者にとって有利な有利区間から通常区間に移行させる有利区間移行手段と、
前記有利区間が終了した旨を示唆する示唆手段と、
前記有利区間に関するデータを初期化する初期化手段と、
を備え、
前記初期化手段は、
前記複数種類の有利区間終了条件のいずれが成立したかに関わらず前記有利区間に関するデータを共通の初期化処理により初期化するとともに、
前記示唆手段により前記有利区間が終了した旨を示唆させる処理が行われる前に、前記有利区間に関するデータを初期化し、
前記有利区間に関するデータは、前記示唆手段の点灯及び消灯に関するデータを含まない、遊技機。
【手続補正２】
【補正対象書類名】明細書
【補正対象項目名】０００６
【補正方法】変更
【補正の内容】
【０００６】
上記課題を解決するために、本発明の請求項１の遊技機は、
遊技を行う遊技機において、
複数種類の有利区間終了条件のいずれかが成立したときに遊技者にとって有利な有利区間から通常区間に移行させる有利区間移行手段と、
前記有利区間が終了した旨を示唆する示唆手段と、
前記有利区間に関するデータを初期化する初期化手段と、
を備え、
前記初期化手段は、
前記複数種類の有利区間終了条件のいずれが成立したかに関わらず前記有利区間に関するデータを共通の初期化処理により初期化するとともに、
前記示唆手段により前記有利区間が終了した旨を示唆させる処理が行われる前に、前記有利区間に関するデータを初期化し、
前記有利区間に関するデータは、前記示唆手段の点灯及び消灯に関するデータを含まない
ことを特徴としている。
本発明の手段１の遊技機は、
遊技を行う遊技機（スロットマシン１）において、
遊技者にとって有利な有利区間から通常区間に移行させる有利区間移行手段（メイン制御部４１）と、
有利区間が終了した旨を示唆する示唆手段（有利区間報知ＬＥＤ１２ａ）と、
有利区間に関するデータを初期化する初期化手段（ＡＴ状態管理処理において有利区間の終了時に初期化する処理）と、
を備え、
前記初期化手段は、前記示唆手段（有利区間報知ＬＥＤ１２ａ）により有利区間が終了した旨を示唆させる処理（有利区間報知ＬＥＤ１２ａの出力バッファに状態制御データ（消灯）を設定する処理）が行われる前に、有利区間に関するデータを初期化し（ＡＴ状態管理処理において有利区間の終了時に初期化する処理）、
前記有利区間に関するデータは、前記示唆手段の点灯及び消灯に関するデータ（有利区間報知ＬＥＤ１２ａの状態制御用データ）を含まない
ことを特徴としている。
この特徴によれば、遊技機において、有利区間が終了した旨が示唆されているにも関わらず、有利区間に関するデータが残ってしまうことを防止できるとともに、有利区間が終了するまでは確実に示唆手段が点灯した状態とすることができる。
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
遊技中に抽選契機が発生すると、所定の抽選を実行する抽選実行手段と、
前記所定の抽選が実行されると、所定の変動時間にわたって図柄を変動表示させた後に、前記所定の抽選の結果に応じた態様で前記図柄を停止表示させる図柄表示手段と、
前記図柄の変動表示に対応させた変動表示演出を実行した後、前記図柄の停止表示に対応させた停止表示演出を実行する演出実行手段と、
前記変動表示演出の実行中に、第１演出を実行する第１演出実行手段と、
前記変動表示演出の実行中に、前記第１演出とは異なる第２演出を実行する第２演出実行手段と、
前記第１演出の演出内容を決定する第１決定手段と、
前記第２演出の演出内容を決定する第２決定手段と、
前記第１決定手段の決定結果を変更可能とする第１演出変更手段とを備え、
前記第１決定手段は、
前記第１決定手段の決定結果に、前記第１演出に含まれる特定演出の実行に関する付与情報を付与可能とし、
前記第１演出変更手段は、
前記付与情報に基づいて第１演出の演出内容を決定可能とすることを特徴とする遊技機。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記スロットマシンへ電源供給が開始されたときに準備制御を行う準備制御手段と、
入賞の発生を報知する入賞演出を実行可能な入賞演出手段と、を備え、
前記入賞演出手段は、
前記準備制御が終了した以降に特定入賞が発生したときに、第１入賞演出および第２入賞演出を実行し、
前記準備制御中に特定入賞が発生したときに、第１入賞演出および第２入賞演出を実行せず、
第１入賞演出および第２入賞演出の実行中において、遊技の進行に関する処理が中断し、その後当該処理が再開したときには、第１入賞演出を実行しない一方で、第２入賞演出を実行する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
前記スロットマシンへ電源供給が開始されたときに準備制御を行う準備制御手段と、
入賞の発生を報知する入賞演出を実行可能な入賞演出手段（たとえば、サブ制御部９１が入賞演出を実行する処理）と、を備え、
前記入賞演出手段は、
前記準備制御が終了した以降に特定入賞（たとえば、チェリー入賞）が発生したときに、第１入賞演出（たとえば、枠ランプ６２およびリールＬＥＤ５５を用いた入賞演出）および第２入賞演出（たとえば、液晶表示器５１を用いた入賞演出）を実行し、
前記準備制御中に特定入賞が発生したときに、第１入賞演出および第２入賞演出を実行せず（図５）、
第１入賞演出および第２入賞演出の実行中において、遊技の進行に関する処理が中断し、その後当該処理が再開したときには、第１入賞演出を実行しない一方で、第２入賞演出を実行する（たとえば、図８に示すように、チェリー入賞発生を報知する枠ランプ６２およびリールＬＥＤ５５を用いた入賞演出、および液晶表示器５１を用いた入賞演出の実行中（図８（ｂ１））に電断の発生により遊技の進行に関する処理が中断し、その後電断から復帰して遊技の進行に関する処理が再開したときには、枠ランプ６２およびリールＬＥＤ５５を用いた入賞演出は実行されない一方で、液晶表示器５１を用いた入賞演出は実行される（図８（ｂ３）））。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記導出操作手段の操作態様を特定可能な特定情報を報知する第１報知手段と、
前記導出操作手段の操作態様を特定可能な特定情報を報知する第２報知手段と、
状態を制御する状態制御手段とを備え、
前記状態には、通常状態と、当該通常状態よりも遊技者にとって有利な有利状態と、当該有利状態に制御される前に制御され得る特定状態とが含まれ、
前記第１報知手段は、
前記特定状態において前記事前決定手段の決定結果が特定決定結果であるときに、当該特定決定結果に対応する前記特定情報を報知する第１特定状態中報知を実行し、
前記有利状態において前記事前決定手段の決定結果が前記特定決定結果であるときに、当該特定決定結果に対応する前記特定情報を報知する第１有利状態中報知を実行し、
前記第２報知手段は、
前記特定状態において前記事前決定手段の決定結果が特定決定結果であるときに、当該特定決定結果に対応する前記特定情報を報知する第２特定状態中報知を実行し、
前記有利状態において前記事前決定手段の決定結果が前記特定決定結果であるときに、当該特定決定結果に対応する前記特定情報を報知する第２有利状態中報知を実行し、
前記第２特定状態中報知において前記第２報知手段により選択可能な前記特定情報の報知態様の種類よりも、前記第２有利状態中報知において前記報第２知手段により選択可能な前記特定情報の報知態様の種類の方が多い、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記導出操作手段の操作態様を特定可能な特定情報を報知する第１報知手段（ナビ報知）と、
前記導出操作手段の操作態様を特定可能な特定情報を報知する第２報知手段（ナビ演出）と、
状態を制御する状態制御手段とを備え、
前記状態には、通常状態と、当該通常状態よりも遊技者にとって有利な有利状態と、当該有利状態に制御される前に制御され得る特定状態とが含まれ、
前記第１報知手段は、
前記特定状態において前記事前決定手段の決定結果が特定決定結果であるときに、当該特定決定結果に対応する前記特定情報を報知する第１特定状態中報知を実行し、
前記有利状態において前記事前決定手段の決定結果が前記特定決定結果であるときに、当該特定決定結果に対応する前記特定情報を報知する第１有利状態中報知を実行し、
前記第２報知手段は、
前記特定状態において前記事前決定手段の決定結果が特定決定結果であるときに、当該特定決定結果に対応する前記特定情報を報知する第２特定状態中報知を実行し、
前記有利状態において前記事前決定手段の決定結果が前記特定決定結果であるときに、当該特定決定結果に対応する前記特定情報を報知する第２有利状態中報知を実行し、
前記第２特定状態中報知において前記第２報知手段により選択可能な前記特定情報の報知態様の種類よりも、前記第２有利状態中報知において前記報第２知手段により選択可能な前記特定情報の報知態様の種類の方が多い。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
表示結果を導出させるために操作される導出操作手段（たとえば、ストップスイッチ８Ｌ，８Ｃ，８Ｒ）と、
導出を許容する表示結果を決定する事前決定手段（たとえば、メイン制御部４１による内部抽選を実行する処理）と、
表示結果を導出させる制御を行う導出制御手段（たとえば、メイン制御部４１によるリール制御を実行する処理）と、
前記導出操作手段の操作態様（たとえば、押し順）を特定可能な特定情報（たとえば、ナビ情報）を報知する報知手段（たとえば、サブ制御部９１による液晶表示器５１を用いたナビ演出を実行する処理）と、
状態を制御する状態制御手段（たとえば、メイン制御部４１による遊技区間を制御する処理）とを備え、
前記状態には、通常状態（たとえば、通常区間）と、当該通常状態よりも遊技者にとって有利な有利状態（たとえば、ＡＴや特化ゾーン）と、当該有利状態に制御される前に制御され得る特定状態（たとえば、前兆状態やＣＺ）とが含まれ、
前記報知手段は、
前記特定状態において前記事前決定手段の決定結果が特定決定結果（たとえば、押し順ベル当選）であるときに、当該特定決定結果に対応する前記特定情報を報知する特定状態中報知（たとえば、前兆状態やＣＺにおけるベルナビ）を実行し、
前記有利状態において前記事前決定手段の決定結果が前記特定決定結果であるときに、当該特定決定結果に対応する前記特定情報を報知する有利状態中報知（たとえば、ＡＴ中や特化ゾーン中におけるベルナビ）を実行し、
前記特定状態中報知において前記報知手段により選択可能な前記特定情報の報知態様（たとえば、ナビ態様）の種類（たとえば、１種類（白ナビ））よりも、前記有利状態中報知において前記報知手段により選択可能な前記特定情報の報知態様の種類（たとえば、２種類（白ナビ，黄ナビ））の方が多い（たとえば、図１１（ａ）参照）。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
前記スロットマシンへ電源供給が開始されたときに準備制御を行う準備制御手段と、
入賞の発生を報知する入賞演出を実行可能な入賞演出手段と、を備え、
前記入賞演出手段は、
前記準備制御が終了した以降に入賞が発生したときに、入賞演出を実行し、
前記準備制御中に入賞が発生したときに、入賞演出を実行せず、
入賞演出の実行中において、遊技の進行に関する処理が第１中断条件の成立に基づき中断し、その後当該処理が再開したときには、入賞演出を実行せず、
入賞演出の実行中において、遊技の進行に関する処理が第２中断条件の成立に基づき中断し、その後当該処理が再開したときには、入賞演出を実行する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
前記スロットマシンへ電源供給が開始されたときに準備制御を行う準備制御手段と、
入賞の発生を報知する入賞演出（たとえば、枠ランプ６２、リールＬＥＤ５５を用いた入賞演出）を実行可能な入賞演出手段（たとえば、たとえば、サブ制御部９１が入賞演出を実行する処理）と、を備え、
前記入賞演出手段は、
前記準備制御が終了した以降に入賞（たとえば、チェリー入賞）が発生したときに、入賞演出（たとえば、枠ランプ６２およびリールＬＥＤ５５を用いた入賞演出）を実行し、
前記準備制御中に入賞が発生したときに、入賞演出を実行せず（図５）、
入賞演出の実行中において、遊技の進行に関する処理が第１中断条件（たとえば、電断の発生）の成立に基づき中断し、その後当該処理が再開したときには、入賞演出を実行せず（たとえば、図６に示すように、ベル入賞発生を報知する枠ランプ６２およびリールＬＥＤ５５を用いた入賞演出の実行中（図６（ａ１））に電断の発生により遊技の進行に関する処理が中断し、その後電断から復帰して遊技の進行に関する処理が再開したときには、入賞演出は実行されない（図６（ａ３）））、
入賞演出の実行中において、遊技の進行に関する処理が第２中断条件（たとえば、エラーの発生）の成立に基づき中断し、その後当該処理が再開したときには、入賞演出を実行する（たとえば、図６に示すように、ベル入賞発生を報知する枠ランプ６２およびリールＬＥＤ５５を用いた入賞演出の実行中（図６（ｂ１））にエラーの発生により遊技の進行に関する処理が中断し、その後エラーが解除されて遊技の進行に関する処理が再開したときには、入賞演出は実行される（図６（ｂ３）））。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記導出操作手段の操作態様を特定可能な特定情報を報知する第１報知手段と、
前記導出操作手段の操作態様を特定可能な特定情報を報知する第２報知手段とを備え、
前記第１報知手段は、
前記事前決定手段の決定結果が特定決定結果であるときに、当該特定決定結果に対応する前記特定情報を報知する第１特定報知を実行し、
前記第２報知手段は、
前記事前決定手段の決定結果が特定決定結果であるときに、当該特定決定結果に対応する前記特定情報を報知する第２特定報知を実行し、
前記第２特定報知において複数種類の報知態様のうちから前記特定情報の報知態様を選択可能であり、
前記導出制御手段は、前記事前決定手段の決定結果が特定決定結果であるときに、前記導出操作手段が第１操作態様で操作されたときには第１表示結果を導出し、前記導出操作手段が第２操作態様で操作されたときには第２表示結果を導出し、
前記第２報知手段は、
特別条件が成立していないときにおいて前記事前決定手段の決定結果が前記特定決定結果であるときに、前記第１操作態様を特定可能な前記特定情報を報知する第１特別報知を実行し、
前記特別条件が成立しているときにおいて前記事前決定手段の決定結果が前記特定決定結果であるときに、前記第２操作態様を特定可能な前記特定情報を報知する第２特別報知を実行し、
前記第１特別報知において前記第２報知手段により選択可能な前記特定情報の報知態様の種類よりも、前記第２特別報知において前記第２報知手段により選択可能な前記特定情報の報知態様の種類の方が多い、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
導出を許容する表示結果を決定する事前決定手段と、
表示結果を導出させる制御を行う導出制御手段と、
前記導出操作手段の操作態様を特定可能な特定情報を報知する第１報知手段（ナビ報知）と、
前記導出操作手段の操作態様を特定可能な特定情報を報知する第２報知手段（ナビ演出）とを備え、
前記第１報知手段は、
前記事前決定手段の決定結果が特定決定結果であるときに、当該特定決定結果に対応する前記特定情報を報知する第１特定報知を実行し、
前記第２報知手段は、
前記事前決定手段の決定結果が特定決定結果であるときに、当該特定決定結果に対応する前記特定情報を報知する第２特定報知を実行し、
前記第２特定報知において複数種類の報知態様のうちから前記特定情報の報知態様を選択可能であり、
前記導出制御手段は、前記事前決定手段の決定結果が特定決定結果であるときに、前記導出操作手段が第１操作態様で操作されたときには第１表示結果を導出し、前記導出操作手段が第２操作態様で操作されたときには第２表示結果を導出し、
前記第２報知手段は、
特別条件が成立していないときにおいて前記事前決定手段の決定結果が前記特定決定結果であるときに、前記第１操作態様を特定可能な前記特定情報を報知する第１特別報知を実行し、
前記特別条件が成立しているときにおいて前記事前決定手段の決定結果が前記特定決定結果であるときに、前記第２操作態様を特定可能な前記特定情報を報知する第２特別報知を実行し、
前記第１特別報知において前記第２報知手段により選択可能な前記特定情報の報知態様の種類よりも、前記第２特別報知において前記第２報知手段により選択可能な前記特定情報の報知態様の種類の方が多い。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
表示結果を導出させるために操作される導出操作手段（たとえば、ストップスイッチ８Ｌ，８Ｃ，８Ｒ）と、
導出を許容する表示結果を決定する事前決定手段（たとえば、メイン制御部４１による内部抽選を実行する処理）と、
表示結果を導出させる制御を行う導出制御手段（たとえば、メイン制御部４１によるリール制御を実行する処理）と、
前記導出操作手段の操作態様（たとえば、押し順）を特定可能な特定情報（たとえば、ナビ情報）を報知する報知手段（たとえば、サブ制御部９１による液晶表示器５１を用いたナビ演出を実行する処理）とを備え、
前記導出制御手段は、前記事前決定手段の決定結果が特定決定結果（たとえば、ＢＡＲ揃いリプ当選やＢＡＲテンパイリプ当選）であるときに、前記導出操作手段が第１操作態様（たとえば、右第１停止以外）で操作されたときには第１表示結果（たとえば、リプ１の図柄組合わせ）を導出し、前記導出操作手段が第２操作態様（たとえば、右第１停止）で操作されたときには第２表示結果（たとえば、ＢＡＲ揃いリプやＢＡＲテンパイリプの図柄組合せ）を導出し（たとえば、図１０参照）、
前記報知手段は、
特別条件が成立していないとき（たとえば、特化ゾーン中でないとき，ＢＡＲ狙え演出が実行されないとき）において前記事前決定手段の決定結果が前記特定決定結果であるときに、前記第１操作態様を特定可能な前記特定情報を報知する第１報知（たとえば、右第１停止以外を報知するナビ演出（殺しのナビ））を実行し、
前記特別条件が成立しているとき（たとえば、特化ゾーン中であるとき，ＢＡＲ狙え演出が実行されるとき）において前記事前決定手段の決定結果が前記特定決定結果であるときに、前記第２操作態様を特定可能な前記特定情報を報知する第２報知（たとえば、右第１停止を報知するナビ演出）を実行し、
前記第１報知（たとえば、前兆状態やＣＺやＡＴにおける殺しのナビ）において前記報知手段により選択可能な前記特定情報の報知態様（たとえば、ナビ背景の態様）の種類（たとえば、２種類（青背景，緑背景））よりも、前記第２報知（たとえば、特化ゾーンにおけるナビ演出）において前記報知手段により選択可能な前記特定情報の報知態様の種類（たとえば、ＢＡＲ揃いリプ当選時の４種類（青背景，緑背景，赤背景，金背景）やＢＡＲテンパイリプ当選時の３種類（青背景，緑背景，赤背景））の方が多い（たとえば、図１１（ｃ），（ｄ）参照）。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常区間と有利区間を設定可能な区間設定手段と、
表示結果を導出させるために操作される導出操作手段と、
特定表示結果を示唆する示唆演出の実行に関する制御を行う示唆演出制御手段と、
前記示唆演出が実行された後、表示結果が導出されたときに実行され得る導出時演出の実行に関する制御を行う導出時演出制御手段とを備え、
前記示唆演出制御手段は、前記区間設定手段により前記有利区間が設定されていることを条件に前記示唆演出を実行可能であり、
前記示唆演出が実行された後、特定操作態様で前記導出操作手段が操作されたときに前記特定表示結果が導出される第１状況と、前記示唆演出が実行された後、前記特定操作態様で前記導出操作手段が操作されても前記特定表示結果とは異なる表示結果が導出される第２状況とがあり、
前記導出時演出制御手段は、前記第２状況において前記示唆演出が実行された後、前記特定操作態様で前記導出操作手段が操作されたときと前記特定操作態様とは異なる操作態様で前記導出操作手段が操作されたときとで異なる制御を行う、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常区間と有利区間を設定可能な区間設定手段と、
表示結果を導出させるために操作される導出操作手段と、
特定表示結果を示唆する示唆演出の実行に関する制御を行う示唆演出制御手段と、
前記示唆演出が実行された後、表示結果が導出されたときに実行され得る導出時演出の実行に関する制御を行う導出時演出制御手段とを備え、
前記示唆演出制御手段は、前記区間設定手段により前記有利区間が設定されていることを条件に前記示唆演出を実行可能であり、
前記示唆演出が実行された後、特定操作態様で前記導出操作手段が操作されたときに前記特定表示結果が導出される第１状況と、前記示唆演出が実行された後、前記特定操作態様で前記導出操作手段が操作されても前記特定表示結果とは異なる表示結果が導出される第２状況とがあり、
前記導出時演出制御手段は、前記第２状況において前記示唆演出が実行された後、前記特定操作態様で前記導出操作手段が操作されたときと前記特定操作態様とは異なる操作態様で前記導出操作手段が操作されたときとで異なる制御を行う。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段（たとえば、ストップスイッチ）と、
特定表示結果（たとえば、図５に示すＢＡＲの図柄）を示唆する示唆演出（たとえば、図５に示すＢＡＲナビ演出）の実行に関する制御を行う示唆演出制御手段と、
前記示唆演出が実行された後、表示結果が導出されたときに実行され得る導出時演出（たとえば、図５に示すボタン演出の実行）の実行に関する制御を行う導出時演出制御手段とを備え、
前記示唆演出が実行された後、特定操作態様（たとえば、逆押しでありかつ第１停止操作〜第３停止操作が全てＢＡＲ引込タイミングで行われる態様）で前記導出操作手段が操作されたときに前記特定表示結果が導出される第１状況（たとえば、図５および図６に示すように右ＢＡＲが当選した状況。右ＢＡＲ当選ゲームでＢＡＲナビ演出が実行されたときに、逆押しでありかつ第１停止操作〜第３停止操作が全てＢＡＲ引込タイミングで行われると、ＢＡＲ揃いリプが導出される）と、前記示唆演出が実行された後、前記特定操作態様で前記導出操作手段が操作されても前記特定表示結果とは異なる表示結果が導出される第２状況（たとえば、図７および図８に示すように左ＢＡＲが当選した状況。左ＢＡＲ当選ゲームでＢＡＲナビ演出が実行されたときに、逆押しすると、ＢＡＲ揃いリプとは異なるＢＡＲテンパイリプが導出される）とがあり、
前記導出時演出制御手段は、前記第２状況において前記示唆演出が実行された後、前記特定操作態様で前記導出操作手段が操作されたときと前記特定操作態様とは異なる操作態様で前記導出操作手段が操作されたときとで異なる制御を行う（たとえば、図８（ｅ３）に示すように、逆押しでかつ第２停止で目押し失敗した場合にはボタン演出を実行する一方、図８（ｄ３）に示すように、逆押しでありかつ第１停止操作〜第３停止操作が全てＢＡＲ引込タイミングで行われた場合には、該ボタン演出は実行されない）。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
通常区間と有利区間を設定可能な区間設定手段と、
表示結果組合せを導出させるために操作される導出操作手段と、
特定操作態様で前記導出操作手段を操作させる旨を示唆する演出であって、操作することにより特定表示結果組合せが導出され得ることを示唆する示唆演出を実行する示唆演出実行手段とを備え、
前記示唆演出実行手段は、前記区間設定手段により前記有利区間が設定されていることを条件に前記示唆演出を実行可能であり、
前記示唆演出が実行された後、全ての可変表示部の変動表示が停止する以前において前記特定操作態様に基づいて前記導出操作手段が操作されており、前記特定表示結果組合せの一部である一部表示結果が導出されている状況と、
前記示唆演出が実行された後、全ての可変表示部の変動表示が停止する以前において前記特定操作態様とは異なる特殊操作態様に基づいて前記導出操作手段が操作されており、前記特定表示結果組合せの一部である一部表示結果が導出されている状況とがあり、
前記示唆演出が実行された後、一部表示結果が導出された場合、前記特殊操作態様に基づいて前記導出操作手段が操作されているときには特定演出を実行しない一方、前記特定操作態様で前記導出操作手段が操作されているときには特定演出を実行する特定演出実行手段をさらに備える、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（Ａ）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
通常区間と有利区間を設定可能な区間設定手段と、
表示結果組合せを導出させるために操作される導出操作手段と、
特定操作態様で前記導出操作手段を操作させる旨を示唆する演出であって、操作することにより特定表示結果組合せが導出され得ることを示唆する示唆演出を実行する示唆演出実行手段とを備え、
前記示唆演出制御手段は、前記区間設定手段により前記有利区間が設定されていることを条件に前記示唆演出を実行可能であり、
前記示唆演出が実行された後、全ての可変表示部の変動表示が停止する以前において前記特定操作態様に基づいて前記導出操作手段が操作されており、前記特定表示結果組合せの一部である一部表示結果が導出されている状況と、
前記示唆演出が実行された後、全ての可変表示部の変動表示が停止する以前において前記特定操作態様とは異なる特殊操作態様に基づいて前記導出操作手段が操作されており、前記特定表示結果組合せの一部である一部表示結果が導出されている状況とがあり、
前記示唆演出が実行された後、一部表示結果が導出された場合、前記特殊操作態様に基づいて前記導出操作手段が操作されているときには特定演出を実行しない一方、前記特定操作態様で前記導出操作手段が操作されているときには特定演出を実行する特定演出実行手段をさらに備える。
（１）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
表示結果組合せを導出させるために操作される導出操作手段（たとえば、ストップスイッチ）と、
特定操作態様（たとえば、逆押しでありかつ第１停止操作〜第３停止操作が全てＢＡＲ引込タイミングで行われる操作態様）で前記導出操作手段を操作させる旨を示唆する演出であって、操作することにより特定表示結果組合せ（たとえば、図５（ａ３）に示すＢＡＲ揃いリプ）が導出され得ることを示唆する示唆演出（たとえば、図５（ａ１）に示すＢＡＲナビ演出）を実行する示唆演出実行手段とを備え、
前記示唆演出が実行された後、全ての可変表示部の変動表示が停止する以前において前記特定操作態様に基づいて前記導出操作手段が操作されており（たとえば、図５（ａ２）に示すように、逆押しで第１停止操作および第２停止操作がＢＡＲ引込タイミングで行われており）、前記特定表示結果組合せの一部である一部表示結果（たとえば、図５（ａ２）に示すように、中リールおよび右リールでＢＡＲがテンパイしている表示結果）が導出されている状況と、
前記示唆演出が実行された後、全ての可変表示部の変動表示が停止する以前において前記特定操作態様とは異なる特殊操作態様に基づいて前記導出操作手段が操作されており（たとえば、図５（ｃ２）に示すように、順押しで第１停止操作および第２停止操作がＢＡＲ引込タイミングで行われており）、前記特定表示結果組合せの一部である一部表示結果（たとえば、図５（ｃ２）に示すように、中リールおよび左リールでＢＡＲがテンパイしている表示結果）が導出されている状況とがあり、
前記示唆演出が実行された後、一部表示結果が導出された場合、前記特殊操作態様に基づいて前記導出操作手段が操作されているときには特定演出（たとえば、テンパイ音の出力）を実行しない一方、前記特定操作態様で前記導出操作手段が操作されているときには特定演出を実行する（たとえば、図５（ａ２）に示すように、ＢＡＲナビ演出で報知された操作態様である逆押しで第１停止操作および第２停止操作がＢＡＲ引込タイミングで行われて、ＢＡＲがテンパイした場合には、テンパイ音を出力する一方、図５（ｃ）に示すように、ＢＡＲナビ演出で報知された操作態様とは異なる操作態様である順押しで第１停止操作および第２停止操作がＢＡＲ引込タイミングで行われて、ＢＡＲがテンパイした場合には、テンパイ音を出力しない）特定演出実行手段をさらに備える。